(57)【要約】      （修正有）【課題】液体、粉体あるいは粒体を収容したときに袋体が湾曲面に変形しても、応力の集中による破損のない強度に優れた袋を提供する。【解決手段】ガセット折りの外縁2a,3aから中央部に向かいほぼ４５度に傾斜した角底融着線5,6で融着され、その角底融着線5,6の下部がガセット折りの内縁2b,3bに接続することなくその内縁2b,3bと間隔を保って下方へ湾曲することにより底融着線5,6まで延長され、さらに、角底融着線の傾斜部を直線的に底融着線まで延長した仮想延長線上における交点Aが、ガセット折りの内縁2b,3bを越えた中央部に近い位置となるように設けられ、角底融着線5,6の下部とガセット折りの内縁2b,3bの間において、前記仮想延長線よりも下側の位置に円弧または円を有する補強シール7,8が、袋体の前面、後面及びガセット折りの４枚のフィルムを重ね合わせた一体的な熱融着により設けられている。【選択図】図１
2005104572.tif 000002
【特許請求の範囲】
【請求項１】
チューブ状のプラスチックフィルムからなる袋体の左右に内向きに谷折りされたガセット折りが形成されとともに、上端部が開口され、下端部が底融着線で閉塞されている角底袋において、
袋体の前面とその後ろ側で接するガセット折り及び袋体の後面とその前側で接するガセット折りがそれぞれ、ガセット折りの外縁から中央部に向かいほぼ４５度に傾斜した角底融着線で融着されて互いが分離しないように設けられ、
かつ、その角底融着線の下部がガセット折りの内縁に接続することなくその内縁と間隔を保って下方へ湾曲することにより前記底融着線まで延長され、
さらに、角底融着線の傾斜部を直線的に底融着線まで延長した仮想延長線上における交点が、ガセット折りの内縁を越えた中央部に近い位置となるように設けられ、
角底融着線の下部とガセット折りの内縁の間において、前記仮想延長線よりも下側の位置に円弧または円を有する補強シールが、袋体の前面、後面及びガセット折りの４枚のフィルムを重ね合わせた一体的な熱融着により設けられていることを特徴とする角底袋。
【請求項２】
補強シールが角底融着線に接続されていることを特徴とする請求項１に記載の角底袋。
【請求項３】
補強シールが底融着線に接続されていることを特徴とする請求項１または請求項２に記載の角底袋。
【発明の詳細な説明】
【技術分野】
【０００１】
本発明は、液体、粉体あるいは粒体を収容するために利用される角底袋に関するものである。
【背景技術】
【０００２】
プラスチック製チューブからなる一般的な角底袋は、固形物の包装だけでなく液体、粉体あるいは粒体を収容する場合にも利用されている。
図９に示す従来の角底袋は、図１０に示す長尺なチューブ状素材から形成されるもので、袋体５１の左右の両側に内向きに谷折りされたガセット折り５２，５３が設けられており、そのガセット折り５２，５３の外側の折り目となる外縁５２ａ，５３ａからほぼ４５度に傾斜した角底融着線５４，５５が、内縁５２ｂ，５３ｂと底融着線５６の交点Ｍ，Ｎに接続するように形成されている。
【０００３】
角底融着線５４，５５が内縁５２ｂ，５３ｂと底融着線５６との交点Ｍ，Ｎで交差していると、商品を収容したときにその重量により発生して袋体５１の前後面５１ａ，５１ｂ、左右のガセット折り５２，５３の下部が構成する底面に重力による力が作用すると，その力が前記交点Ｍ，Ｎに集中し、この部分でフィルムが引き千切れやすくなるなどの欠点があった。交点Ｍ，Ｎより外側はガセット折り５２，５３があるため融着されたフィルムの重ね合わせ枚数が４枚となり、交点Ｍ，Ｎより中央側は袋体５１の前後面５１ａ，５１ｂだけのためフィルムの重ね合わせ枚数が２枚となる。重ね合わせ枚数の違いによりその境界では厚さに段差ができるため、強度的に均一な熱融着が困難となる。
上記境界付近で均一な熱融着が行われないため，融着の強度が低下し、力が集中するとこの部分でフィルムが引き千切れやすくなる問題があった。
【０００４】
上記欠点を解消するものとして、実開平５−７６３２０号公報記載の技術がある。この角底袋は図１１ないし図１５に示すもので、チューブ状に形成された袋体６１の左右の両側縁に谷折りされたガセット折り６２，６３が設けられており、そのガセット折り６２，６３の外縁６２ａ，６３ａからほぼ４５度に傾斜した角底融着線６４，６５を底融着線６６の上方で内縁６２ｂ，６３ｂと所定の間隔を保った位置から下方に湾曲させるとともに、延長して底融着線６６に接続したものである。
【０００５】
この角底融着線６４，６５は、ガセット折り６２，６３の内縁６２ｂ，６３ｂと底融着線６６との交点Ｐ，Ｑで接続せず、その交点Ｐ，Ｑよりやや外側の交点Ｒ，Ｓにおいて底融着線６６に接続している。図１２において、角底融着線６４を延長した仮想延長線６７の先端が交点Ｐに接続している。
【０００６】
従って、この形式の角底袋においては、重い物を収容したとき袋体６１の前後面６１ａ，６１ｂと左右のガセット折り６２，６３の下部６２ｃ，６３ｃからなる底面に作用する力が前記交点Ｐ，Ｑに集中せず、応力が分散されることにより直方体形状の角底袋と同一の強度を有する袋が得られる趣旨の記載がある。
【０００７】
袋の収容物が直方体形状のときは、袋体６１の底面に形成される形状が矩形状態となり、収容物の重量は袋の前後面６１ａ，６１ｂと左右のガセット折り６２，６３に分散するとしても、収容物が液体、粉体あるいは粒体のときは力が分散せず、前記交点Ｐ，Ｑに集中する欠点が残る。
【０００８】
即ち、収容物が液体、粉体あるいは粒体のときにおいても、その角底袋を底面が矩形状の段ボール箱等々に入れた状態のままにしておけば箱の形状に倣ってほぼ矩形状態を保ち、袋に作用する力は底面に分散すると思われる。
しかしながら、角底袋を箱から取り出そうと袋の口元を持ち上げたとき、角底袋の底部の形状は大きく変形し、従前の直方体形状ではなく曲面体となる。角底袋の底部の形状が変形して曲面体になると、図１３ないし図１５に示すように、袋体６１のガセット折り６２，６３の下部に角底融着線６４，６５で囲まれることにより形成されて底面の一部となる三角形部６２ｃ，６３ｃに作用する矢印Ｆ方向の内圧による力は、三角形部６２ｃ，６３ｃを図１３のように湾曲させる。この状態において湾曲した三角形部６２ｃ，６３ｃの頂点側を支えるのは、ガセット折り６２，６３の内縁６２ｂ，６３ｂと底融着線６６との交点Ｐ，Ｑである。従って、交点Ｐ，Ｑに力が集中することとなる。  
【０００９】
上述の通り、角底袋が曲面体に変形すると、底部に作用する力はガセット折り６２，６３の内縁６２ｂ，６３ｂの外側に形成される湾曲した三角形部６２ｃ，６３ｃの頂点に作用することとなる。  即ち、角底融着線６４，６５が、ガセット折り６２，６３の内縁６２ｂ，６３ｂと底融着線６６との交点Ｐ，Ｑに直接的に接続されていなくても、収容物の形態に倣って袋体６１が曲面体に変形すると力の作用する状態が変化し、従来最も強度上弱いとされていた交点Ｐ，Ｑに直接的に作用することが判明した。
【特許文献１】実開平５−７６３２０号公報
【発明の開示】
【発明が解決しようとする課題】
【００１０】
本発明が解決しようとする問題点は、正方形または直方体状固形物を収容したときには何ら問題がなくても、液体、粉体あるいは粒体のように形態が変化しやすい収容物を収容したときに、袋が曲面体に変形して収容物の重量により破損しやすいことにある。
【課題を解決するための手段】
【００１１】
本発明は、左右両側に谷折りされたガセット折りを有する袋体の下部に、閉塞した底を形成するための底融着線を設け、その底融着線の上方のガセット折りにほぼ４５°に傾斜する角底融着線を設け、かつその角底融着線をガセット折りの内縁と底融着線の交点に接続させずに内縁の外側で下方に湾曲させて底融着線に接続し、角底融着線と内縁との間に挟まれた位置に、底融着線を内縁まで延長した仮想延長線よりも下側の領域において円弧または円形の補強シールを前記角底融着線に相対させて設けたことを特徴とする。
【発明の効果】
【００１２】
本発明の角底袋は、角底を形成するために必要な底融着線と角底融着線に加えて、第三の補強シールが力の伝達する途中に設けられているため、袋体が曲面体に変形しても力は補強シールで吸収され熱融着の最も弱い点に集中しない。
【発明を実施するための最良の形態】
【００１３】
収容物の形態に左右されることのない強度に優れた角底袋を提供するという目的を、簡単な追加の補強シールで実現した。
【実施例】
【００１４】
図１及び図２は本発明の第１実施例の角底袋であり、チューブ状のプラスチックフィルムからなる袋体１の左右に内向きに谷折りされたガセット折り２，３が形成され、上端部は開口され、下端部は熱融着による底融着線４で閉塞されている。
【００１５】
袋体１の前面１ａとその後ろ側で接する左右のガセット折り２，３及び袋体１の後面１ｂとその前側で接する左右のガセット折り２，３とは、ガセット折り２，３の外縁２ａ，３ａから中央部に向かいほぼ４５度に傾斜した角底融着線５，６でそれぞれ融着され、互いが分離しないようになっている。
【００１６】
上記角底融着線５，６の下部５ｂ，６ｂは、ガセット折り２，３の内縁２ｂ
，３ｂの近くで下方へ湾曲し、前記底融着線４に接続している。角底融着線５，６の下部５ｂ，６ｂとガセット折り２，３の内縁２ｂ，３ｂとの間には所定の間隔を設け、内縁２ｂ，３ｂとほぼ平行に底融着線４まで延長されている。
【００１７】
角底融着線５，６の傾斜部５ａ，６ａを湾曲させることなくそのまま延長した仮想延長線１１と底融着線４との交点Ａは、ガセット折り部２，３の内縁２ｂ，３ｂを越えた中央側にある。
【００１８】
次に、底融着線４のやや上部の仮想延長線１１に相対する位置に，円弧状の補強シール７，８が形成されている。この補強シール７，８のは袋体１の前面１ａと後面１ｂ及びガセット折り２，３の４枚のフィルムが一体的に熱融着されている。補強シール７，８外側端は水平延長部７ａで角底融着線５，６の下部５ｂ，６ｂまで延長されている。また、補強シール７，８の下側端は垂直延長部７ｂ，８ｂで底融着線４まで延長されている。補強シール７，８の位置は、底融着線４と角底融着線５，６の下部５ｂ，６ｂとガセット折り２，３の内縁２ｂ，３ｂと仮想延長線１１で囲まれた領域とする。
【００１９】
上記構成の角底袋においては、液体、粉体あるいは粒体を収容した状態で角底袋の底部が曲面体に変形したとき、その収容物の重量により発生する力が底融着線４と左右の角底融着線５，６をそれぞれ引っ張るように作用するが、補強シール７，８がガセット折り２，３の内縁２ｂ，３ｂと角底融着線５，６との間に形成されいるため、力は交点Ｂに直接的に作用しない。
【００２０】
底部に矢印Ｆ方向の内圧による力が作用して曲面体に変形したとき、ガセット折り２，３の内縁２ｂ，３ｂの下部は図２に示すような折りたたまれた”直線”ではなく、図３及び図４に示すように”曲面”に変化する。この”曲面”は、ガセット折り２，３の下部に角底融着線５，６で囲まれることにより形成されて底面の一部となる三角形部２ｃ，３ｃである。
三角形部２ｃ，３ｃが湾曲したとき，フィルムの４枚重ねに熱融着されている補強シール７，８が内側の支点となって湾曲した三角形部２ｃ，３ｃの頂点側を支える。
【００２１】
湾曲した三角形部２ｃ，３ｃを外側方向（矢印Ｇ方向）へ引っ張る力が作用しても、三角形部２ｃ，３ｃの頂点である交点Ｂの手前にフィルムが４枚重ねに一体的に熱融着された補強シール７，８が設けられているため前記力の大部分はその補強シール７，８に吸収され、交点Ｂへ集中することはない。力が伝達する進路上にその力の伝達を防止する補強シール７，８が設けられることにより、この袋体１の中で融着力が最も弱いと思われる交点Ｂに力が集中して作用することはなくなり、袋体１が曲面体に変形しても強度を保持することができる効果がある。
【００２２】
図６は第２実施例であって、補強シール７，８の水平延長部７ａが角底融着線下部５ａ，６ｂを越えてガセット折り２，３の外縁２ａ，３ａまで延長されている。
【００２３】
図７は第３実施例であって、第１実施例における補強シール７，８の水平延長部７ａ，８ａと垂直延長部７ｂ，８ｂが設けられていない。円弧だけからなる補強シール１２であり、第１実施例の補強シールに比べ形状が簡略化される
。
【００２４】
図８は第４実施例であって、円形の補強シール１３である。この形状の補強シールは、ヒータ形状が簡単となる。
【産業上の利用可能性】
【００２５】
袋体の形状が曲面体に変形しても強度を保持できるので、液体、粉体もしくは粒体を収納することができ、角底袋の応用範囲が広がる。
【図面の簡単な説明】
【００２６】
【図１】本発明の角底袋の第１実施例の正面側から見た斜視図である。
【図２】図１の主要部を拡大した正面図である。
【図３】図１の角底袋が曲面体に変形した状態の主要部を拡大した斜視図である。
【図４】図１の角底袋が曲面体に変形した状態の主要部を拡大した正面図である。
【図５】図３における底面側から見た力の作用図である。
【図６】本発明の角底袋の第２実施例の主要部を拡大した正面図である。
【図７】本発明の角底袋の第３実施例の主要部を拡大した正面図である。
【図８】本発明の角底袋の第４実施例の主要部を拡大した正面図である。
【図９】従来の角底袋の第１例の正面側から見た斜視図である。
【図１０】図９の角底袋に使用されるチューブ素材の断面を表す斜視図である。
【図１１】従来の角底袋の第２例の正面側から見た斜視図である。
【図１２】図１１の主要部を拡大した正面図である。
【図１３】図１１の角底袋が曲面体に変形した状態の主要部を拡大した正面図である。
【図１４】図１１の角底袋が曲面体に変形した状態の底面図である。
【図１５】図１４における力の作用図である。
【符号の説明】
【００２７】
１              袋体
２，３          ガセット折り
２ａ，３ａ      外縁
２ｂ，３ｂ      内縁
４              底融着線
５，６          角底融着線
５ａ，６ａ      角底融着線下部
７，８          補強シール
Ａ              交点
Ｂ              交点
【図１】
2005104572.tif 000003
【図２】
2005104572.tif 000004
【図３】
2005104572.tif 000005
【図４】
2005104572.tif 000006
【図５】
2005104572.tif 000007
【図６】
2005104572.tif 000008
【図７】
2005104572.tif 000009
【図８】
2005104572.tif 000010
【図９】
2005104572.tif 000011
【図１０】
2005104572.tif 000012
【図１１】
2005104572.tif 000013
【図１２】
2005104572.tif 000014
【図１３】
2005104572.tif 000015
【図１４】
2005104572.tif 000016
【図１５】
2005104572.tif 000017